(57)【特許請求の範囲】
【請求項１】
シート状の材料をロールプレスするロールプレス機本体と、
前記ロールプレス機本体の入側に設置され、前記シート状の材料がコイル状に巻回されたプレス前コイルを装着する巻出機と、
前記ロールプレス機本体の出側に設置され、ロールプレス後の前記シート状の材料を巻回しプレス後コイルとする巻取機と、
前記ロールプレス機本体の入側に設置された予熱ロールと、
前記巻出機と前記予熱ロールとの間に設けられ、前記シート状の材料に加わる張力を調整する張力調整機構と、
前記予熱ロールを回転駆動する予熱ロール駆動機構を備え、
前記予熱ロール駆動機構は、駆動側と被駆動側との間がスリップ可能状態でトルク伝達を行うクラッチを含み、前記ロールプレス機本体の主ロールを駆動する主ロール駆動機構から分岐されたものであることを特徴とするロールプレス設備。
【請求項２】
シート状の材料をロールプレスするロールプレス機本体と、
前記ロールプレス機本体の入側に設置され、前記シート状の材料がコイル状に巻回されたプレス前コイルを装着する巻出機と、
前記ロールプレス機本体の出側に設置され、ロールプレス後の前記シート状の材料を巻回しプレス後コイルとする巻取機と、
前記ロールプレス機本体の出側に設置された徐冷ロールと、
前記徐冷ロールと前記巻取機との間に設けられ、前記シート状の材料に加わる張力を調整する張力調整機構と、
前記徐冷ロールを回転駆動する徐冷ロール駆動機構を備え、
前記徐冷ロール駆動機構は、駆動側と被駆動側との間がスリップ可能状態でトルク伝達を行うクラッチを含み、前記ロールプレス機本体の主ロールを駆動する主ロール駆動機構から分岐されたものであることを特徴とするロールプレス設備。
【請求項３】
請求項１〜２の何れかに記載のロールプレス設備において、
前記クラッチは、パウダークラッチであることを特徴とするロールプレス設備。
【発明の詳細な説明】
【技術分野】
【０００１】
本発明は、ロールプレス設備に係り、特に電極材料を圧縮加工するロールプレス設備に関する。
【背景技術】
【０００２】
リチウムイオン電池、キャパシタ等の正極や負極の電極材料は、アルミ箔、銅箔など（金属箔集電体）の帯状の基材の両面に電極活物質を塗工したものである。電極活物質の密度を上げ且つ均一の厚みとなるように電極材料はロールプレス設備を通してロールプレス（圧縮加工）される。電極材料の圧縮加工後の要求厚み精度は、例えば、±２μｍ程度と厳しく、近年さらに高精度化が望まれている(±1〜２μｍ)。
【０００３】
また、電極材料の圧縮加工には、冷間（常温）プレスや温間プレスがある。温間プレス加工では、圧縮加工を行う主ロールとして、例えば、ロール内部に油等の熱媒体を流す熱媒体流路が形成された加熱ロール（ドリルドロール）が用いられ、例えば、百〜百数十℃程度の温度で電極材料が圧縮加工される。
【０００４】
ロールプレス設備では、加熱ロールが用いられる場合、主ロールの熱が電極材料に奪われるのを防止（抜熱を防止）するため、ロールプレス機本体の上流側に、予熱ロールを設置し、電極材料を予熱している（例えば特許文献１）。なお、予熱ロールは電極材料が主ロールにおいて急加熱されるのを抑制する働きも有する。電極材料を予熱して上下主ロール間に供給して圧縮加工することにより、電極材料の圧縮加工における厚み精度を向上させることができる。  
また、特許文献１のロールプレス設備では、モータによる駆動力がギア、ベルト等で構成される駆動伝達機構を介して、加熱ロールや予熱ロールに供給されている。
【先行技術文献】
【特許文献】
【０００５】
【特許文献１】特開２００９‐２４５７８８号公報（図２）
【発明の概要】
【発明が解決しようとする課題】
【０００６】
一般的に、予熱ロールは、駆動系のコストアップを避けるために、主ロールの駆動系から分岐した駆動系（タイミングベルトやギヤなど）を用いて駆動される。この場合、主ロールの周速と予熱ロールの周速が同じになるようにしている。
【０００７】
一方、ロールプレス設備にて電極材料を圧縮加工する際、基材となる箔が若干圧延される。すなわち、ロールによる圧縮加工は、理想的には、基材となる箔が圧延されないようにして活物質のみ圧縮加工するものであるが、実際には、ロールプレス設備にて圧縮加工する際、活物質が塗布された領域の箔が若干圧延される。箔が圧延されると圧縮加工された電極材料は長手方向に伸びることになるため、主ロールの入側と出側では電極材料の移動速度が異なることになる（出側が入側よりも早くなる）。
【０００８】
このため、予熱ロールの周速が主ロールの周速と同じ場合には、予熱ロールと主ロールとの間の電極材料に微小なたるみが生じることになり、電極材料に皺が発生する要因となり得る。近年、活物質の圧縮加工について高圧縮率の要求が強くなっていることからこの課題に対応することがより重要となる。  
従来、特許文献１を含めて、このような電極材料の圧縮加工に起因する長手方向の伸びにより、予熱ロールと主ロール間の電極材料にたるみが発生することについては考慮されていない。
【０００９】
なお、ロールプレス設備では、温間プレス加工した電極材料が主ロール下流側のガイドロールにより急冷却されないようにするため、主ロールの下流側に徐冷ロールが設けられる場合があるが、この場合においても予熱ロールの場合と同様な課題を有する。
【００１０】
本発明の目的は、予熱ロールまたは徐冷ロールを備えたロールプレス設備において、予熱ロールまたは徐冷ロールと主ロールとの間の電極材料にたるみが発生するのを効果的に抑制することが可能なロールプレス設備を提供することにある。
【課題を解決するための手段】
【００１１】
本発明は、予熱ロールまたは徐冷ロールを備えたロールプレス設備において、予熱ロールまたは徐冷ロールの駆動系に、伝達トルクを可変可能なクラッチ（駆動側と被駆動側との間がスリップ可能状態でトルク伝達を行うクラッチ）を介在させたことを特徴とする。
【発明の効果】
【００１２】
本発明によれば、予熱ロールまたは徐冷ロールと主ロールとの間の電極材料にたるみが発生するのを効果的に抑制することが可能となる。  
上記した以外の課題、構成及び効果は、以下の実施形態の説明により明らかにされる。
【図面の簡単な説明】
【００１３】
【図１】本発明の実施例に係るロールプレス設備における予熱ロールの駆動系を説明する図。
【図２】主ロールと予熱ロールまたは徐冷ロールとの間の電極材料にたるみが発生することを説明する図。
【図３】本発明の実施例に係るロールプレス設備の全体概要を示すシステム構成図。
【発明を実施するための形態】
【００１４】
以下、図面を用いて本発明の実施例を説明する。
【００１５】
先ず、本発明に至った経緯について詳しく説明する。  
上述したように、ロールプレス機本体の主ロールとして加熱ロールを用いた場合には、主ロールでの材料の急加熱または主ロールからの抜熱や、主ロール下流側のガイドロールでの材料の急冷却を防止するために、予熱ロールや徐冷ロールを設置するのが望ましい。予熱ロールと徐冷ロールは、例えば、主ロール（加熱ロール）に供給する油等の熱媒体よりも低温の熱媒体が供給されて、ロール表面が常温よりも高く主ロール表面の温度よりも低い温度に維持されている。予熱ロールと徐冷ロールは、基本的には、設置位置（主ロールの入側か出側か）が異なるだけであり、同一の構造を有する。予熱ロールと徐冷ロールは、油循環機構や加熱機構を備えるため、通常のガイドロールと比して重い。通常のガイドロールは、フリーロール（従動ロール）であるが、重い予熱ロールや徐冷ロールを、ガイドロールと同様にフリーロールとした場合、予熱ロールまたは徐冷ロールと主ロールとの間の材料に対して必要以上の張力を与えてしまう。このため、特に、電極材料のような材料を圧縮加工するロールプレス設備では、予熱ロールや徐冷ロールをフリーロールとすることは困難である。
【００１６】
また、上述したように、主ロールの駆動系から分岐した駆動系（タイミングベルトやギア，スプロケットなど）を用いて予熱ロールや徐冷ロールを駆動する場合、主ロールの周速と予熱ロールの周速が同じになるようにしている。一方、電極材料を圧縮加工する場合、上述したように、基材となる箔が若干圧延され、電極材料は長手方向に伸びることになるため、主ロールの入側と出側では電極材料の移動速度が異なることになる（入側移動速度Ｖin＜出側移動速度Ｖout）。また、主ロールの周速度Ｖ１は、主ロールのニップ位置における電極材料の移動速度と等しく、主ロールのニップ位置を通過した電極材料の移動速度、即ち、出側移動速度Ｖoutよりも僅かに遅い。すなわち、電極材料の箔が若干圧延されることにより、Ｖin＜Ｖ１＜Ｖoutの関係となることから、予熱ロールの周速度Ｖ２＝主ロールの周速度Ｖ１として予熱ロールを駆動した場合には、Ｖ２＞Ｖinになる。そうすると、予熱ロールを経て予熱ロールと主ロールとの間に供給される単位時間当たりの電極材料の長さが主ロールで圧縮加工される単位時間当たりの電極材料の長さよりも長くなることから、予熱ロールと主ロールとの間の電極材料にたるみが発生することになる。
【００１７】
また、主ロールと徐冷ロールとの間の電極材料にも類似の現象によりたるみが発生する。すなわち、徐冷ロールの場合、徐冷ロールの周速度Ｖ３＝主ロールの周速度Ｖ１として予熱ロールを駆動した場合には、Ｖ３＜Ｖoutになることから、徐冷ロールが電極材料の移動に対してブレーキとなり、主ロールと徐冷ロールとの間の電極材料にたるみが発生することになる。
【００１８】
これらの概要を図２に示す。図２おいて、符号２は主ロールであり、符号１０は主ロール２の入側に配置される予熱ロール、符号１１は主ロール２の出側に配置される徐冷ロールであり、符号１２は電極材料を示す。図２に示す関係において、Ｖ１＝Ｖ２の関係で予熱ロール１０が駆動される場合、Ｖ２＞Ｖinとなり予熱ロール１０と主ロール２との間で電極材料１２はたるむことになる。また、Ｖ１＝Ｖ３の関係で徐冷ロール１１が駆動される場合、Ｖ３＜Ｖoutとなり主ロール２と徐冷ロール１１との間で電極材料１２はたるむことになる。電極材料にたるみが生じると電極材料に皺が発生する可能性ある。
【００１９】
また、予熱ロールの駆動について、Ｖ２＝Ｖinとなるように、例えば、スプロケットの歯数等を変更して減速比を変え、予めＶ２＜Ｖ１となるように主ロールと予熱ロールの周速比を調整することが考えられる。しかし、主ロールの荷重条件（プレス条件）により、電極材料の長手方向の伸び量が変化し、Ｖ１とＶinとＶoutの関係が変化するため、調整した主ロールと予熱ロールの周速比が固定の場合には、これらの変化に追従することができず、結果的に予熱ロールと主ロールとの間の電極材料のたるみを効果的に抑制することが難しい。これらは、徐冷ロールと主ロールとの周速比を予め調整した場合についても同様である。
【００２０】
また、予熱ロールや徐冷ロールの駆動源として主ロールを駆動するモータとは別のモータを用いた単独駆動系を採用することが考えられるが、単独駆動系とすることはコストアップの要因となる。また、主ロールの周速よりも遅くなるように予熱ロールや徐冷ロールの単独駆動系で予熱ロールや徐冷ロールの周速を調整することも考えられるが、この場合、主ロールの荷重条件（プレス条件）の変更に対応して周速を微調整する必要があり、このような速度の微調整を簡易に行うことは難しい。
【００２１】
そこで、本発明者らは、上記の点も含めて種々検討した結果、予熱ロールまたは徐冷ロールの駆動系に、伝達トルクを可変可能なクラッチ、言い換えれば、駆動側と被駆動側との間がスリップ可能状態でトルク伝達を行うクラッチを介在させるようにすれば良いことを見出した。  
すなわち、予熱ロールや徐冷ロールはフリーロールとすると、その重さに起因して、予熱ロールまたは徐冷ロールと主ロールとの間の電極材料に必要以上の張力を与えてしまう。このため、予熱ロールや徐冷ロールをフリーロールとしないで駆動させる必要があるが、予熱ロールや徐冷ロールの駆動に必要な動力は小さくても良いことに着目した。  
また、予熱ロールや徐冷ロールを駆動させる場合、予熱ロールや徐冷ロールの回転は、上述したように、主ロールの荷重条件（プレス条件）の変更により電極材料の長手方向の伸びの変化に追従させる必要がある。これについては、予熱ロールや徐冷ロールの駆動系により予熱ロールや徐冷ロールの回転速度を積極的に調整する方式ではなく、ロールプレス設備における電極材料の張力調整用のダンサーロール等による張力調整作用が利用できないかについて着目した。
【００２２】
そして、本発明者らは、駆動側と被駆動側との間がスリップ可能状態でトルク伝達を行うクラッチを用いることにより、ダンサーロールによる張力調整作用が予熱ロールや徐冷ロールの回転速度の調整として利用できることを見出した。このようなクラッチとしては、パウダークラッチなどがある。そして、このようなクラッチは、スリップ可能な状態でトルク伝達を行うものであることから、大きなトルクを伝達することには不向きであるが、上述したように、予熱ロールや徐冷ロールの駆動に必要な動力は小さくても良いことから、予熱ロールや徐冷ロールの駆動系に用いることができる。
【００２３】
次に、本発明を予熱ロールの駆動系（駆動機構）に適用した例について図面を用いて説明する。  
先ず、図３を用いて、本発明が適用されるロールプレス設備全体の構成例について説明する。  
ロールプレス機本体１の入り側にはシート状の電極材料１２がコイル状に巻回されたプレス前コイルを装着する巻出機４が設けられ、ロールプレス機本体１の出側にはプレス後の電極材料を巻回しプレス後コイルとする巻取機５が設けられている。電極材料１２は、帯状基材（アルミ箔や銅箔など）の両面に電極活物質を塗工したものである。リチウムイオン二次電池などの電極材料の他にキャパシタ等の電極材料も適用される。
【００２４】
ロールプレス機本体１は、主ロール２（上プレスロールと下プレスロール）を備え、上プレスロールと下プレスロールとの間に電極材料１１を通過させて圧縮加工を行う。ロールプレス機本体１には、図示省略しているが、上下プレスロール間の間隙または圧縮荷重を調整する圧下装置と、上下プレスロールを巻取機５と同期して回転速度制御可能に駆動する駆動機構（後述の主ロール駆動系）と、ロールのたわみを補正するベンド機構などを備えている。また、主ロール２には、加熱ロールが用いられ、電極材料１２は主ロール２により温間プレス加工される。図示省略しているが、加熱ロールはドリルドロールが用いられている。ドリルドロールは、ロール内部に熱媒体を流す熱媒体流路が形成されたものである。熱媒体としては、例えば、油が用いられ、例えば、１５０℃程度に加熱されている。
【００２５】
また、ロールプレス機本体１の入側には、巻出機４とロールプレス機本体１との間に、電極材料１２に対する張力を一定に制御し、電極材料１２を搬送するための入側張力制御・搬送機構６が設けられており、ロールプレス機本体１の出側には、ロールプレス機本体１と巻取機５との間に、電極材料１２に対する張力を一定に制御し、電極材料１２を搬送するための出側張力制御・搬送機構７が設けられている。入側及び出側の張力制御・搬送機構には、複数のガイドロールが設けられている。ガイドロールとしては、通常のガイドロール８の他に、張力を制御する働きを有するダンサーロール９や、電極材料１２が主ロール２において急加熱されるのを抑制するとともに主ロール２が電極材料１２より抜熱されるのを抑制する予熱ロール１０が設置されている。
【００２６】
ダンサーロール９は電極材料１２に加わる張力を制御するものである。ダンサーロール９は、例えば、図３において、下側に一定の力が付与され、電極材料１２に所定の張力（例えば１０〜２００Ｎ）が付与される。また、プレスロール機本体１の入側のダンサ―ロール９は、ダンサ―ロール９の上下の位置情報に基づき、巻出機４の巻出し速度が調整され、ダンサ―ロール９が所定範囲内に保持されるようになっている。プレスロール機本体１の出側のダンサ―ロール９も同様にダンサ―ロール９の上下の位置情報に基づき、巻取機５の巻取り速度が調整され、ダンサ―ロール９が所定範囲内に保持されるようになっている。
【００２７】
予熱ロール１０は二つ設けられ、二つの予熱ロール１０により電極材料（シート）１２の両面が予熱される。電極材料１２が片面に活物質を塗布したものである場合には、一つの予熱ロールを活物質と接する側に配置するようにしても良い。予熱ロール１０は、ロール内部に熱媒体（油など）を流す熱媒体流路が形成されたものであり、例えば、主ロール２（加熱ロール）に供給する油等の熱媒体よりも低温の熱媒体が供給されて、ロール表面が常温よりも高く主ロール表面の温度よりも低い温度に維持されている。予熱ロール１０は、油循環機構や加熱機構を備えるため、通常のガイドロール８と比して重い。なお、図３では、予熱ロール１０を設けた場合について説明しているが、ロールプレス機本体１の出側に、徐冷ロールを設けるようにしても良い。例えば、ロールプレス機本体１の出側に配置された二つのガイドロール８を徐冷ロールとする。徐冷ロールは、基本的には、予熱ロールと同じ構造を有する。
【００２８】
また、図３において、入側張力制御・搬送機構６及び出側張力制御・搬送機構７におけるガイドロール８の配置が概念的に図示されており、実際には、機器の配置に応じて多数のガイドロール（例えば10〜30本程度）が設けられている。
【００２９】
また、ロールプレス機本体１の下流側には、ロールプレス後の電極材料１２の厚みを計測する厚み計測３が設けられ、厚み計３の計測値に基づき圧下装置やベンド機構が制御される。
【００３０】
次に、図１に基づき、予熱ロール１０の駆動系（駆動機構）を説明する。  
主ロール２は、駆動モータ１３と駆動モータ１３の回転を減速して主ロール２に伝達する減速歯車機構１４などから構成される主ロール駆動機構（ＭＲＤ）により駆動される。減速歯車機構１４には、上側の主ロール２を反時計方向に回転駆動させるとともに下側の主ロール２を時計方向に回転駆動するための分岐歯車機構が設けられている。予熱ロール１０は主ロール駆動機構から分岐した予熱ロール駆動機構（ＨＲＤ）により駆動される。予熱ロール駆動機構は、ギア，ベルトなどで構成され、予熱ロール１０の周速度が主ロール２の周速度と同じになるように、主ロール駆動機構で減速された回転をさらに減速する減速機構１５を備えている。また、減速機構１５には、巻出機側の予熱ロール１０を反時計方向に回転駆動させるとともに主ロール側の予熱ロール１０を時計方向に回転駆動するための分岐歯車機構が設けられている。そして、減速機構１５と予熱ロール１０との間には、伝達トルクを可変可能なクラッチ、例えば、パウダークラッチ１６が設けられている。パウダークラッチ１６は、磁性粉体（パウダ）を介してトルクを伝達・制御するクラッチである。パウダークラッチの伝達率は例えば５０％程度となるように調整されている。主ロール駆動機構および予熱ロール駆動機構の配置や構成は上述の構成に限定されるものではなく、適宜、配置や構成を変更しても良い。
【００３１】
このように予熱ロール駆動機構を構成することにより、予熱ロール１０と主ロール２との間の電極材料１２にたるみが発生するのを効果的に抑制することが可能となる。すなわち、予熱ロール１０が重くても、予熱ロール１０の回転駆動には大きなトルクが不要であり、パウダークラッチのトルク伝達率を例えば５０％程度としても、予熱ロール１０と主ロール２との間の電極材料１２に予熱ロール１０の重さに起因した必要以上の張力を与えることなく電極材料１２を搬送することができる。また、電極材料１２の長手方向の伸びに起因して入側移動速度Ｖinが周速度Ｖ１よりも遅くなるため、減速機構１５により主ロールの周速度Ｖ１と同じになるように設定した予熱ロール１０の周速度Ｖ２が入側移動速度Ｖinよりも速くなるが、本実施例では、パウダークラッチ１６が予熱ロール駆動機構に介在している。パウダークラッチ１６は、伝達トルクを可変可能なクラッチであり、言い換えれば、駆動側と被駆動側との間がスリップ可能状態でトルク伝達を行うクラッチである。したがって、プレスロール機本体１の入側のダンサ―ロール９による張力調整作用、すなわち、ダンサ―ロール９により調整された電極材料１２の張力によって、駆動側と被駆動側（予熱ロール側）との間にスリップが生じて、予熱ロール１０の回転速度が減速され、予熱ロール１０の周速度Ｖ２が入側移動速度Ｖinに近づく。このような作用により、主ロール２における荷重条件（プレス条件）の変更などに起因して生じる電極材料１２の長手方向の伸びの変化に追従して容易に予熱ロール１０の回転速度を調整することができ、そして、予熱ロール１０と主ロール２との間の電極材料１２にたるみが発生することを抑制することができる。
【００３２】
本実施例では、予熱ロール１０の回転駆動を、主ロール駆動機構から分岐させた予熱ロール駆動機構により行うようにしているので、予熱ロール単独の駆動機構を設ける場合よりもコスト低減できる。ただし、予熱ロール単独の駆動機構を設ける場合にも、原理上、本発明を適用できる。すなわち、予熱ロール単独の駆動機構にパウダークラッチを介在させるようにすれば、同様に、電極材料１２の長手方向の伸びの変化に追従して容易に予熱ロール１０の回転速度を調整することができ、そして、予熱ロール１０と主ロール２との間の電極材料１２にたるみが発生することを抑制することができる。
【００３３】
図１に示す実施例では、予熱ロール１０の駆動系へ適用した場合について説明したが、図２に示すように、ロールプレス機本体の出側に徐冷ロール１３を設けた場合にも徐冷ロールの駆動系に同様に本発明を適用できる。すなわち、プレスロール機本体１の出側のダンサ―ロール９による張力調整作用、すなわち、ダンサ―ロール９により調整された電極材料１２の張力によって、駆動側と被駆動側（徐冷ロール側）との間にスリップが生じて、徐冷ロール１３の回転速度が増速され、徐冷ロール１３の周速度Ｖ３が入側移動速度Ｖoutに近づく。
【００３４】
伝達トルクを可変可能なクラッチとしては、パウダークラッチに限定されることなく、ヒステリス式やインダクション式などの空隙式のクラッチを用いることができ、また、駆動側と被駆動側にスリップが生じてもトルク伝達することができれば、摩擦板式のクラッチも用いることができる。但し、寿命や取扱い性などを考慮すると、パウダークラッチが好適である。
【００３５】
また、上述の実施例では、予熱ロール１０の周速を主ロールの周速と同じになるように減速機構を構成しているが、例えば、予熱ロール１０の周速を主ロールの周速よりも予め例えば１〜３％程度遅くなるように設定しても良い（徐冷ロールの場合には、徐冷ロールの周速が、予め主ロールの周速よりも例えば１〜３％程度速くなるように設定する。）。この場合においても、パウダークラッチの作用により、電極材料１２の長手方向の伸びの変化に追従して容易に予熱ロール１０の回転速度を調整することができ、そして、予熱ロール１０と主ロール２との間の電極材料１２にたるみが発生することを抑制することができる。
【００３６】
また、張力制御機構はダンサーロール機構を用いて説明をしているが、張力計からの巻出・巻取機のトルク制御方式等、他の張力制御機構においても同様に適用可能である。
【００３７】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加，削除，置換をすることが可能である。
【符号の説明】
【００３８】
１・・・ロールプレス機本体、２・・・主ロール（加熱ロール）、３・・・厚み計、４・・・巻出機、５・・・巻取機、６・・・入側張力制御・搬送機構、７・・・出側張力制御・搬送機構、８・・・ガイドロール、９・・・ダンサーロール、１０・・・予熱ロール、１１・・・徐冷ロール、１２・・・電極材料、１３・・・駆動モータ、１４・・・減速歯車機構、１５・・・減速機構、１６・・・パウダークラッチ。
【要約】
【課題】
予熱ロールまたは徐冷ロールを備えたロールプレス設備において、予熱ロールまたは徐冷ロールと主ロールとの間の電極材料にたるみが発生するのを効果的に抑制する。
【解決手段】
予熱ロール１０または徐冷ロール１３を備えたロールプレス設備において、予熱ロール１０または徐冷ロール１３の駆動機構に、パウダークラッチ１６などの伝達トルクを可変可能なクラッチ（駆動側と被駆動側との間がスリップ可能状態でトルク伝達を行うクラッチ）を介在させる。
【選択図】  図１【図１】
0005756556.tif 000002
【図２】
0005756556.tif 000003
【図３】
0005756556.tif 000004